(57)【特許請求の範囲】
【請求項１】
少なくとも光記録媒体に記録された情報を読み出し可能な光記憶装置であって、
光源からの光を前記光記録媒体上に集光する対物レンズを有する光学ヘッドと；
前記光学ヘッドが搭載され、光記憶装置内に挿入された光記録媒体の半径方向に移動可能なキャリッジと；
スピンドルモータを有し、該スピンドルモータが光記憶装置内に収容された前記光記録媒体に係合する上昇位置と、該光記録媒体を解放する下降位置との間で移動可能なスピンドルモータアセンブリと；
前記光記録媒体の光記憶装置に対しての挿入及び抜き出しに応じて、前記スピンドルモータアセンブリを前記上昇位置と下降位置の間で移動するリンク機構と；
前記光記録媒体が光記憶装置内に挿入されていないとき、前記リンク機構に係合して該リンク機構の移動を防止し、前記スピンドルモータアセンブリの前記上昇位置への移動を防止するストッパーと；
前記光記録媒体が光記憶装置内に挿入されていないとき、前記キャリッジをロックするキャリッジロックレバーとを具備し、；
前記ストッパーは前記キャリッジロックレバーと一体的に形成されており、前記光記録媒体が光記憶装置内に挿入されると、前記キャリッジロックレバーと前記ストッパーが同時に解放されることを特徴とする光記憶装置。
【請求項２】
前記光記録媒体はカートリッジ内に収納されており、
前記リンク機構は、前記カートリッジが光記憶装置内に挿入されていない第１位置と光記憶装置内に挿入された該カートリッジに押されて移動する第２位置との間で移動可能なスライドプレートと、前記スライドプレートと作動的に連結され、前記スピンドルモータアセンブリを前記下降位置に移動させる第３位置と該スピンドルモータアセンブリを前記上昇位置に移動させる第４位置との間で移動可能なロードプレートを含んでいる請求項１記載の光記憶装置。
【請求項３】
前記ロードプレートは、該ロードプレートの第３位置から第４位置への移動に応じて前記スピンドルモータアセンブリを前記上昇位置に移動させる複数のリフトガイドを有している請求項２記載の光記憶装置。
【発明の詳細な説明】
【０００１】
【発明の属する技術分野】
本発明は、一般的に光記憶装置に関し、特に、光記憶装置用カートリッジローディング機構に関する。
【０００２】
【従来の技術】
光ディスクは近年急速に発展するマルチメディア化の中で中核となるメモリ媒体として脚光を浴びており、通常カートリッジの中に収容された状態で使用される。
【０００３】
光ディスクカートリッジが光ディスク装置内にローディングされ、光ピックアップ（光学ヘッド）により光ディスクへのデータ（情報）のライト／リードが行われる。
【０００４】
最近の光ディスク装置は小型化を実現するため、レーザダイオードモジュール、レーザビームの反射及び透過を行うビームスプリッタ、光ディスクからの反射光を受光する光検出器等を含んだ固定光学アセンブリと、キャリッジ及びキャリッジに取り付けられた対物レンズを有する光学ヘッドを含んだ移動光学アセンブリとから構成される。
【０００５】
キャリッジはボイスコイルモータにより一対のレールに沿って光ディスクの半径方向に移動される。固定光学アセンブリに取り付けられたレーザダイオードモジュールから出射されたライトパワーのレーザビームはコリメータレンズによりコリメートされた後偏光ビームスプリッタを透過し、光学ヘッドのビーム立ち上げミラーにより反射されて対物レンズにより光ディスク上にフォーカスされ、光ディスクにデータが書き込まれる。
【０００６】
一方、データの読み出しは、光ディスクにリードパワーのレーザビームを照射することにより行われる。光ディスクからの反射光は対物レンズによりコリメートビームにされた後、固定光学アセンブリの偏光ビームスプリッタにより反射され、この反射光が光検出器で検出されて電気信号に変換される。
【０００７】
従来のカートリッジローディング機構においては、光ディスクカートリッジを光ディスク装置内に挿入すると、スライドプレートがカートリッジに押されて装置の奥側に移動する。
【０００８】
スライドプレートはリンク機構を介してスピンドルモータに連結されているため、スライドプレートの移動につれてスピンドルモータが上昇し、スピンドルモータが光ディスクのハブをチャッキングする。
【０００９】
これにより、光ディスクがスピンドルモータに結合されるため、スピンドルモータにより光ディスクを高速で回転させながら光学ヘッドにより光ディスクへのデータのライト／リードが行われる。
【００１０】
従来のカートリッジローディング機構においては、光ディスクカートリッジを光ディスク装置内にローディングしてない状態において、スピンドルモータをローディング方向に移動させないためのストッパーが設けられていなかった。
【００１１】
【発明が解決しようとする課題】
従って、従来の光ディスク装置では、装置に対して衝撃等が加わりスピンドルモータがローディング方向に移動してしまう場合があった。このようにスピンドルモータがローディング方向に移動すると、光ディスクカートリッジを光ディスク装置に挿入する際、光ディスクカートリッジがスピンドルモータに引っ掛かり、光ディスクカートリッジがローディングできないという問題があった。
【００１２】
よって本発明の目的は、光ディスクカートリッジが装置内に挿入されていないとき、スピンドルモータがローディング方向に移動するのを防止した光記憶装置を提供することである。
【００１３】
【課題を解決するための手段】
本発明によると、少なくとも光記録媒体に記録された情報を読み出し可能な光記憶装置であって、光源からの光を前記光記録媒体上に集光する対物レンズを有する光学ヘッドと；前記光学ヘッドが搭載され、光記憶装置内に挿入された光記録媒体の半径方向に移動可能なキャリッジと；スピンドルモータを有し、該スピンドルモータが光記憶装置内に収容された前記光記録媒体に係合する上昇位置と、該光記録媒体を解放する下降位置との間で移動可能なスピンドルモータアセンブリと；前記光記録媒体の光記憶装置に対しての挿入及び抜き出しに応じて、前記スピンドルモータアセンブリを前記上昇位置と下降位置の間で移動するリンク機構と；前記光記録媒体が光記憶装置内に挿入されていないとき、前記リンク機構に係合して該リンク機構の移動を防止し、前記スピンドルモータアセンブリの前記上昇位置への移動を防止するストッパーと；前記光記録媒体が光記憶装置内に挿入されていないとき、前記キャリッジをロックするキャリッジロックレバーとを具備し、；前記ストッパーは前記キャリッジロックレバーと一体的に形成されており、前記光記録媒体が光記憶装置内に挿入されると、前記キャリッジロックレバーと前記ストッパーが同時に解放されることを特徴とする光記憶装置が提供される。
【００１６】
光記録媒体はカートリッジ中に収容されており、リンク機構は、光記憶装置内に挿入されたカートリッジに押されて移動するスライドプレートと、該スライドプレートと作動的に連結され、スピンドルモータアセンブリを下降位置に移動させる第３位置と、スピンドルモータアセンブリを上昇位置に移動させる第４位置との間で移動可能なロードプレートとを含んでいる。
【００１７】
ロードプレートは、該ロードプレートが第３位置から第４位置に移動されたとき、スピンドルモータアセンブリを上昇位置に移動させる複数のリフトガイドを有している。
【００１９】
【発明の実施の形態】
図１を参照すると、本発明が適用される光磁気ディスク装置１０の上面側の斜視図が示されている。図２は光磁気ディスク装置１０の裏面側斜視図である。この光磁気ディスク装置１０には光磁気ディスクがカートリッジ内に収納された光磁気ディスクカートリッジ１４が挿入され、光磁気ディスク装置１０はこの光磁気ディスクカートリッジ１４内の光磁気ディスクに対してデータのライト／リードを行う。
【００２０】
光磁気ディスク装置１０内には光磁気ディスクカートリッジ１４のロード／イジェクト機構、光磁気ディスクを回転させるスピンドルモータ、バイアス磁界発生機構、ポジショナ、固定光学アセンブリ及び移動光学アセンブリが内蔵されている。光磁気ディスクカートリッジ１４は光磁気ディスク装置１０の挿入口１２から光磁気ディスク装置１０内に挿入される。
【００２１】
図３（Ａ）及び図３（Ｂ）は光磁気ディスク装置１０に挿入される光磁気ディスクカートリッジ１４の構造を示すものである。図１に示した光磁気ディスクカートリッジ１４は表側であり、図３（Ａ）及び図３（Ｂ）は光磁気ディスクカートリッジ１４の裏側を示している。
【００２２】
図３（Ａ）に示すように、光磁気ディスクカートリッジ１４のカートリッジケース１６にはシャッター１８が設けられており、このシャッター１８の端部にはシャッター開アーム２０が取り付けられている。カートリッジケース１６の一端には光磁気ディスクへの書き込みを禁止するライトプロテクタ２２が設けられている。
【００２３】
シャッター開アーム２０の端部２０ａが後述するスライダによって押されると、シャッター１８がカートリッジケース１６の上をスライドして開く。図３（Ｂ）はシャッター１８が全開された状態の光磁気ディスクカートリッジ１４を示している。
【００２４】
カートリッジケース１６の中には、データの記録媒体である光磁気ディスク２４が収納されている。この光磁気ディスク２４はその中央部にあるハブ２６が後述するスピンドルモータにチャッキングされて回転するようになっている。
【００２５】
カートリッジケース１６の底面側の後端部近傍の両側には、光磁気ディスクカートリッジ１４の光磁気ディスク装置１０内の位置決めを行うために２つの基準穴２８，３０が設けられている。一方の基準穴２８は丸穴であり、他方の基準穴３０は長穴である。
【００２６】
図４はカートリッジ挿入口１２から光磁気ディスクカートリッジ１４が挿入された直後の状態を示す平面図である。ドライブベース３２上に装置内に挿入された光磁気ディスクカートリッジ１４を収容するカートリッジホルダ３４が取り付けられている。
【００２７】
ドライブベース３２には一対の磁気回路３６、一対のガイドレール３８、レーザダイオード及び光検出器等を有する固定光学アセンブリ４０、スピンドルモータ４２等が搭載されている。符号４４は対物レンズを有する光学ヘッド４６を担持したキャリッジであり、磁気回路３６に対応する位置に一対のコイル４８を具備している。
【００２８】
磁気回路３６とコイル４８とでボイスコイルモータ（ＶＣＭ）が構成され、コイル４８に電流を流すと、キャリッジ４４が一対のガイドレール３８に案内されて光磁気ディスク２４の半径方向に移動する。
【００２９】
符号５０はバックヨーク５２、図示しない永久磁石、コイル等から構成されたバイアス磁界発生機構であり、光学ヘッド４６の移動範囲をカバーするようにカートリッジホルダ３４に取り付けられている。
【００３０】
カートリッジホルダ３４にガイド溝５４が形成されている。ガイド溝５４はカートリッジの挿入口１２端部から内側に向かって斜めに形成され、途中から曲げられて光磁気ディスク装置１０の長手方向に平行になっている。
【００３１】
ガイド溝５４には第１のスライダ５６と第２のスライダ５８が摺動可能に嵌め込まれている。第２のスライダ５８はバネ６０で第１のスライダ５６と連結されており、第１のスライダ５６の移動に伴って装置の奥側へ移動して行く。
【００３２】
光磁気ディスクカートリッジ１４がカートリッジ挿入口１２から光磁気ディスク装置１０内に挿入されると、光磁気ディスクカートリッジ１４のシャッター１８に取り付けられたシャッター開アーム２０の端部２０ａに第１のスライダ５６が当接する。
【００３３】
この状態から光磁気ディスクカートリッジ１４が押されて光磁気ディスク装置１０の中に挿入されていくと、挿入されるに連れて第１のスライダ５６が内側に移動し、この第１のスライダ５６の移動によってシャッター開アーム２０が押され、シャッター１８が開いていく。
【００３４】
図５は、図４の状態から光磁気ディスク装置１０に光磁気ディスクカートリッジ１４が完全に挿入され、シャッター１８が全開になった状態を示している。
【００３５】
このように、光磁気ディスクカートリッジ１４が光磁気ディスク装置１０の中に挿入されると、光磁気ディスクカートリッジ１４のシャッター１８は第１のスライダ５６によって自動的に開かれる。
【００３６】
図６はカートリッジローディング機構がアンロード状態の光磁気ディスク装置１０の裏面側平面図であり、図４に示された光磁気ディスク装置１０を裏面から見た図である。
【００３７】
図８は図６の裏面図であり、図４に示されたカートリッジホルダ３４が取り外されている。図９はスピンドルモータ、キャリッジ等を取り外した状態のアンロード状態のカートリッジローディング機構を示している。
【００３８】
符号６２は鉄板等の金属プレート６４上にスピンドルモータ４２を搭載したスピンドルモータアセンブリであり、光磁気ディスク装置１０に対する光磁気ディスクカートリッジ１４の挿抜に応じて、スピンドルモータ４２が光磁気ディスク２４をチャッキングする上昇位置（ロード位置）と光磁気ディスク２４を解放する解放位置（アンロード位置）との間で移動可能である。
【００３９】
光磁気ディスクカートリッジ１４が光磁気ディスク装置１０内に挿入されると、リンク機構７０を介してスピンドルモータアセンブリ６２が上昇位置に移動される。
【００４０】
図１０に最も良く示されるように、リンク機構７０はスピンドルモータアセンブリ６２を上昇したロード位置に移動するためのロードプレート６６を含んでいる。ベース３２にはスピンドルモータ４２が挿入される穴６８が形成されている。
【００４１】
リンク機構７０は更に、図示しないガイドにより光磁気ディスク装置１０の長手方向に移動されるスライドプレート７２を含んでいる。カートリッジ受けブロック７４がスライドプレート７２と一体的に連結されており、光磁気ディスク装置１０内に挿入された光磁気ディスクカートリッジ１４はカートリッジ受けブロック７４の当接面７４ａに当接する。
【００４２】
レバー７６の一端部７６ａがピン８０によりロードプレート６６に回動可能に連結されており、レバー７６の他端部７６ｂとスライドプレート７２に渡りコイルバネ７８が張設されている。
【００４３】
レバー７６の中間部分７６ｃには穴８２が形成されており、ドライブベース３２に固定されたピン８４が穴８２内に挿入されている。コイルバネ７８の反対側でロードプレート６６とドライブベース３２に渡りコイルバネ８６が張設されている。
【００４４】
ロードプレート６６には４個のリフトガイド９０が一体的に形成されている。各リフトガイド９０は斜めの切欠９２を有しており、切欠９２の端部９２ａはロードプレート６６に対して水平になっている。
【００４５】
スピンドルモータアセンブリ６２は水平方向に突出した４個のピン６５を有しており、各ピン６５がリフトガイド９０の切欠９２中に挿入されることにより、スピンドルモータアセンブリ６２がロードプレート６６上に搭載されている。
【００４６】
スピンドルモータアセンブリ６２の金属プレート６４には一対の穴６４ａが形成されており、ドライブベース３２に固定した一対のピン９４がこれらの穴６４ａ中に挿入されている。
【００４７】
ドライブベース３２には、ロード位置に上昇されたスピンドルモータアセンブリ６２の金属プレート６４が当接する一対の突起９６と、環状突起９８が固定されている。環状突起９８中には永久磁石１００が収容されている。
【００４８】
図７に最も良く示されるように、スライドプレート７２には長手方向に伸長したスリット１０２が形成されており、スリットの一端部１０２ａはその幅が拡大されている。
【００４９】
スリット１０２中にはドライブベース３２に固定されたピン１０４が挿入されており、キャリッジロックレバー１０６がピン１０４に回動可能に取り付けられている。
【００５０】
キャリッジロックレバー１０６の裏面には突起１１０が一体的に形成されており、アンロード状態では突起１１０がスリット１０２の拡大端部１０２ａ中に位置付けされている。
【００５１】
これにより、キャリッジロックレバー１０６がピン１０４に取り付けられたトーションスプリング１０８により時計回り方向に付勢されると、その一端部１０６ａが磁気回路３６に当接し、キャリッジ４４がガイドレール３８に沿って移動しないようロックしている。
【００５２】
キャリッジロックレバー１０６の他端にはフック部１０６ｂが一体的に形成されており、図示されたアンロード状態ではロードプレート６６と一体的に形成された係合片６６ａにフック部１０６ｂが係合している。
【００５３】
よって、光磁気ディスクカートリッジ１４が光磁気ディスク装置１０内に挿入されないアンロード状態では、フック部１０６ｂがストッパーとして作用し、ロードプレート６６はローディング方向に移動することができない。
【００５４】
従って、ロードプレート６６上に搭載されたスピンドルモータアセンブリ６２はドライブベース３２に対して下降したアンロード位置に保持され、スピンドルモータ４２がローディング方向に動くことはない。
【００５５】
図１４（Ａ）はドライブベース３２に対するアンロード状態のスピンドルモータアセンブリ６２の位置関係を示している。図１４（Ｂ）はドライブベース３２に対するロード状態のスピンドルモータアセンブリ６２の位置関係を示している。
【００５６】
図１４（Ａ）に示されるように、アンロード状態ではスピンドルモータアセンブリ６２の各ピン６５は各リフトガイド９０の切欠９２の水平部分９２ａ中に挿入されている。
【００５７】
即ち、各ピン６５は切欠端部９２ａを画成するリフトガイド９０の水平端部９０ａにより支持されており、スピンドルモータ４２はドライブベース３２に対して引っ込んだアンロード位置となっている。
【００５８】
光磁気ディスクカートリッジ１４が光磁気ディスク装置１０内に挿入されると、光磁気ディスクカートリッジ１４がカートリッジ受けブロック７４の当接面７４ａに接触してカートリッジ受けブロック７４を押し、スライドプレート７２が装置の奥側へ移動する。
【００５９】
これにより、キャリッジロックレバー１０６の突起１１０が、図１３に最も良く示されるようにスリット１０２の拡大端部１０２ａから脱出し、スリット１０２の直線部分に位置付けされる。
【００６０】
その結果、キャリッジロックレバー１０６はトーションスプリング１０８の付勢力に抗して反時計回り方向に僅かばかり回動し、キャリッジ４４のロックが解除されると共に、フック部１０６ｂと係合片６６ａとの係合が解除される。
【００６１】
スライドプレート７２が装置の奥側へ移動されると、コイルバネ７８が伸び、レバー７６がピン８４回りを時計回り方向に回動する。その結果、コイルバネ７８，８６を伸ばしながらロードプレート６６は図１０及び図１２で矢印Ｐ方向に移動する。
【００６２】
ロードプレート６６が矢印Ｐ方向に移動すると、図１４（Ｂ）に示されるように、スピンドルモータアセンブリ６２の各ピン６５は各リフトガイド９０の斜めの切欠９２に沿って移動し、スピンドルモータ４２がドライブベース３２から突出したロード位置となる。このロード位置では、スピンドルモータ４２のターンテーブルに設けられた磁石は光磁気ディスク２４のハブ２６を吸着する。
【００６３】
ロード状態のカートリッジローディング機構が図１１に示されている。図１２はスピンドルモータアセンブリ６２、キャリッジ４４等を取り外したロード状態を示している。
【００６４】
ロード状態では、スピンドルモータアセンブリ６２の金属プレート６４がドライブベース３２に設けられた一対の突起９６及び環状突起９８に当接し、スピンドルモータ４２がドライブベース３２に対して所定のロード位置に位置付けされる。
【００６５】
図６及び図１１において、フレキシブルプリント配線板（ＦＰＣ）１１４はスピンドルモータ４２に接続されており、ＦＰＣ１１６はキャリッジ４４のコイル４８に接続され、ＦＰＣ１１８はバイアス磁界発生機構５０のコイルに接続されている。
【００６６】
以上、本発明を図面に示した光磁気ディスク装置について説明してきたが、本発明はこれに限定されるものではなく、光ディスクがスピンドルモータに選択的にロードされる他の光ディスク装置にも同様に適用可能である。
【００６７】
【発明の効果】
本発明は以上詳述したように、カートリッジが光ディスク装置内に挿入されていないとき、キャリッジをロックするためのキャリッジロックレバーがスピンドルモータのローディング方向への移動を防止するストッパーとして作用するため、スピンドルモータのロック機構を新たに設けずに衝撃等に起因するスピンドルモータのローディング方向への移動を有効に防止できる。
【図面の簡単な説明】
【図１】本発明のカートリッジローディング機構を具備した光磁気ディスク装置の上面側外観斜視図である。
【図２】光磁気ディスク装置の裏面側外観斜視図である。
【図３】図３（Ａ）はシャッターが閉じた状態の光磁気ディスクカートリッジの斜視図であり、図３（Ｂ）はシャッターが開いた状態の光磁気ディスクカートリッジの斜視図である。
【図４】光磁気ディスクカートリッジの挿入開始直後の光磁気ディスク装置の平面図である。
【図５】光磁気ディスクカートリッジの挿入完了状態の光磁気ディスク装置の平面図である。
【図６】カートリッジローディング機構がアンロード状態の光磁気ディスク装置を示す図である。
【図７】図６の一部拡大図である。
【図８】図６の裏面図である。
【図９】スピンドルモータアセンブリ、キャリッジ等を取り外した状態のカートリッジローディング機構のアンロード状態を示す図である。
【図１０】図９の一部拡大斜視図である。
【図１１】カートリッジローディング機構がロード状態の光磁気ディスク装置を示す図である。
【図１２】スピンドルモータアセンブリ、キャリッジ等を取り外した状態のカートリッジローディング機構のロード状態を示す図である。
【図１３】図１２の一部拡大図である。
【図１４】図１４（Ａ）はドライブベースに対するアンロード状態のスピンドルモータアセンブリの位置関係を示す図であり、図１４（Ｂ）はドライブベースに対するロード状態のスピンドルモータアセンブリの位置関係を示す図である。
【符号の説明】
３６  磁気回路
４２  スピンドルモータ
４４  キャリッジ
４６  光学ヘッド
６２  スピンドルモータアセンブリ
６６  ロードプレート
６６ａ  係合片
７０  リンク機構
７２  スライドプレート
７４  カートリッジ受け部材
７６  レバー
９０  リフトガイド
１０６  キャリッジロックレバー
１０６ｂ  フック部
【図１】
0003636612.tif 000002
【図２】
0003636612.tif 000003
【図３】
0003636612.tif 000004
【図４】
0003636612.tif 000005
【図５】
0003636612.tif 000006
【図６】
0003636612.tif 000007
【図７】
0003636612.tif 000008
【図８】
0003636612.tif 000009
【図９】
0003636612.tif 000010
【図１０】
0003636612.tif 000011
【図１１】
0003636612.tif 000012
【図１２】
0003636612.tif 000013
【図１３】
0003636612.tif 000014
【図１４】
0003636612.tif 000015